(57)【要約】      （修正有）【課題】デバイスを大幅に小さくなったフットプリントで形成することができる温度補償型アレイ導波路回折格子アセンブリを提供する。【解決手段】アレイ導波路回折格子は、比較的鋭角に折り返された光路を有する一方または両方のスラブ導波路１１４と、光路を折り返すミラー１１８と、を有することができる。旋回式のミラーと協働するアレイ導波路回折格子が、温度変化に応答して導波路を通る光を調整することにより、デバイスの、温度補償された動作を提供できる。それゆえ、温度補償された動作を提供する、非常にコンパクトなプレーナ光波回路フィルタである。【選択図】図１
2018189972.tif 000002
【特許請求の範囲】
【請求項１】
合成信号導波路と、
分散信号導波路の集合と、
第一のスラブ導波路と、
前記第一のスラブ導波路に光学的に接続された第一のミラーと、
前記第一のミラーを支持するミラーアセンブリと、
導波路アレイと、
第二のスラブ導波路と、
を含むプレーナ光波回路において、
前記導波路アレイが、前記第一のスラブ導波路と前記第二のスラブ導波路を光学的に接続して、アレイ導波路回折格子を提供し、
前記合成信号導波路または前記分散信号導波路の集合が、アクセスエッジにおいて前記第一のスラブ導波路に光学的に接続され、前記合成信号導波路または前記分散信号導波路の集合のうちの他方が、前記第二のスラブ導波路に光学的に接続され、前記アクセスエッジから前記第一のスラブ導波路を通る光路が、前記第一のミラーから、前記導波路アレイと、前記合成信号導波路または前記分散信号導波路の集合の適当な素子を接続するアレイエッジへの光反射を提供することによって折り返され、
前記第一のミラーで反射させる設計の構成では、反射角度が約８０度以下であり、前記アクセスエッジから前記第一のミラーまでの光路の距離と前記導波路アレイから前記第一のミラーまでの光路の距離の比が約０．５：１〜約２：１であり、前記ミラーアセンブリがアクチュエータを含み、これは、温度変化に応答して前記第一のミラーを旋回させることによって前記角度を変化させ、選択された温度範囲において、当該プレーナ光波回路を通る光の伝送の有効な温度補償を行い、
前記第二のスラブ導波路が第二の可動式ミラーを含み、前記第一のミラーと前記第二のミラーの両方の温度に応答する運動が合同で、前記回路を通る光の、有効に温度補償された伝送を提供する、
プレーナ光波回路。
【請求項２】
前記第一のミラーが前記ミラーアセンブリの中に配置された旋回軸の周囲で旋回する、請求項１に記載のプレーナ光波回路。
【請求項３】
前記ミラーアセンブリが前記第一のミラーに固定されたマウントと、前記マウントに固定され、第一の熱膨張率を有する第一のアクチュエータと、前記マウントに固定され、第二の熱膨張率を有する第二のアクチュエータと、を含み、温度変化に応答して前記第一と第二のアクチュエータの長さの差動的変化が前記マウントを移動させ、前記角度を変化させる、請求項１または２に記載のプレーナ光波回路。
【請求項４】
前記アレイ導波路回折格子がベース上に搭載され、前記ミラーアセンブリが前記ベース上に搭載され、前記アクチュエータが前記ベースに取り付けられて、前記アクチュエータの長さの変化が前記ベースまたはその一部分を移動させ、前記ミラーアセンブリを旋回させることによって、有効に温度補償された光の伝送を提供する、請求項１または２に記載のプレーナ光波回路。
【請求項５】
前記ミラーアセンブリが、
基準値より上の第一の温度範囲について、第一の熱膨張率にしたがって膨張することによって前記第一のミラーまたはその他の反射面を旋回させ、前記アレイ導波路回折格子を通る光の、有効に温度補償された伝送を提供する第一のアクチュエータと、
基準値より下の第二の温度範囲について、第二の熱膨張率にしたがって収縮することによって前記第一のミラーまたはその他の反射面を旋回させ、前記アレイ導波路回折格子を通る光の、有効に温度補償された伝送を提供する第二のアクチュエータと、
を含む、請求項１または２に記載のプレーナ光波回路。
【請求項６】
前記アレイ導波路回折格子がベース上に搭載され、前記ミラーアセンブリが前記ベース上に搭載され、前記第一のアクチュエータと前記第二のアクチュエータが前記ベース上に搭載される、請求項５に記載のプレーナ光波回路。
【請求項７】
前記導波路が、光学ガラスを含む単独モノリシック部材の中にあり、１つまたは複数の前記ミラーアセンブリが接続ストラットによって前記モノリシック部材に固定される、請求項１〜６のいずれか１項に記載のプレーナ光波回路。
【請求項８】
前記反射角度が約３度〜約７０度の範囲内にある、請求項１〜７のいずれか１項に記載のプレーナ光波回路。
【請求項９】
前記アクセスエッジから前記ミラーまでの光路の距離と、前記導波路アレイから前記第一のミラーまでの光路の距離の比が約０．７５：１〜約１．５：１の範囲内である、請求項１〜８のいずれか１項に記載のプレーナ光波回路。
【請求項１０】
前記合成信号導波路が前記アクセスエッジにおいて前記第一のスラブ導波路に光学的に接続される、請求項１〜９のいずれか１項に記載のプレーナ光波回路。
【請求項１１】
前記分散信号導波路が前記アクセスエッジにおいて前記第一のスラブ導波路に光学的に接続される、請求項１〜１０のいずれか１項に記載のプレーナ光波回路。
【請求項１２】
フットプリントが約５０００ｍｍ２〜約５００ｍｍ２の範囲内である筐体をさらに含み、前記プレーナ光波回路が、約１２５０ｎｍ〜約１６５０ｎｍの波長範囲で動作し、前記筐体が光コネクタを露出させて、合成光信号と分散光信号に関する光ファイバとの直接または間接の光学的な接続を提供する、請求項１〜１１のいずれか１項に記載のプレーナ光波回路。
【請求項１３】
前記合成信号導波路と前記分散信号導波路が共通のエッジに接続する、請求項１２に記載のプレーナ光波回路。
【請求項１４】
前記アクチュエータが、アルミニウム、真鍮、青銅、クロム、銅、金、鉄、マグネシウム、ニッケル、パラジウム、プラチナ、銀、ステンレススチール、錫、チタン、タングステン、亜鉛、ジルコニウム、Ｈａｓｔｅｌｌｏｙ（登録商標）、Ｋｏｖａｒ（登録商標）、Ｉｎｖａｒ、Ｍｏｎｅｌ（登録商標）、Ｉｎｃｏｎｅｌのうちの１つまたは複数を含む、請求項１〜１３のいずれか１項に記載のプレーナ光波回路。
【請求項１５】
選択された温度範囲について有効に温度補償された光回路を調整する方法であって、
請求項１〜１４のいずれか１項に記載のプレーナ光波回路と、前記プレーナ光波回路のための箱体を提供するステップと、
前記アクチュエータを基準温度で調整し、前記アレイ導波路回折格子を通る中心バースト波長を整列させるステップと、
前記アクチュエータの調整後に前記箱体を密閉して、前記温度補償された光回路を格納するステップと、
を含む方法。
【請求項１６】
合成信号導波路と、
分散信号導波路の集合と、
第一のアクセスエッジと第一のアレイエッジを含む第一スラブ導波路と、
前記第一のスラブ導波路に光学的に接続される第一のミラーと、
第二のアクセスエッジと第二のアレイエッジを含む第二のスラブ導波路と、
前記第二のスラブ導波路に光学的に接続される第二のミラーと、
前記第一のスラブ導波路を前記第二の導波路に、それぞれのアレイエッジを通じて光学的に接続する導波路アレイと、
を含むプレーナ光波回路において、
各スラブ導波路が、それぞれの前記アクセスエッジとそれぞれの前記アレイエッジの間の折り返し光路を有し、前記ミラーで約８０度以下の角度で反射させ、前記アクセスエッジから前記ミラーまでの距離と前記アレイエッジから前記ミラーまでの距離の比が約０．５：１〜約２：１であり、
前記第一のミラーを支持し、温度変化に応答して前記第一のミラーを旋回させるアクチュエータを含む第一のミラーアセンブリと、前記第二のミラーを支持し、温度変化に応答して前記第二のミラーを旋回させるアクチュエータを含む第二のミラーアセンブリと、をさらに含み、前記第一のミラーアセンブリと第二のミラーアセンブリが協働して、選択された温度範囲について、前記光路を補正し、当該プレーナ光波回路を通る光の、有効に温度補償された伝送を提供する、
プレーナ光波回路。
【請求項１７】
前記合成信号導波路と前記分散信号導波路が共通のエッジに接続する、請求項１６に記載のプレーナ光波回路。
【請求項１８】
それぞれの前記アクセスエッジとアレイエッジが前記スラブ導波路の共通の平坦エッジの部分である、請求項１６または１７に記載のプレーナ光波回路。
【請求項１９】
請求項１６〜１８のいずれか１項に記載のプレーナ光波回路と、前記プレーナ光波回路と光学的に接続される筐体と、を含む光デバイス。
【請求項２０】
前記プレーナ光波回路と接続し、光ファイバを個々の前記合成信号導波路と前記分散信号導波路に切断可能に選択的に光学的に連結する光コネクタをさらに含む、請求項１９に記載の光デバイス。
【請求項２１】
光ファイバを前記合成信号導波路または分散信号導波路と非可動的に光学的に接続する非可動的光コネクタをさらに含み、前記光ファイバが開口部から前記筐体を通過する、請求項１９に記載の光デバイス。
【発明の詳細な説明】
【技術分野】
【０００１】
技術分野は、温度変化に応答して導波路内の光の通過を調整するために構成部品と協働するアレイ導波路回折格子に関する。技術分野はまた、温度補償アレイ導波路回折格子のネットワークへの組込みに関する。
【背景技術】
【０００２】
光ネットワークは一般に、合理的な距離にわたって波長帯を伝送するように設計された伝送用構成部品を含む。波長帯は一般に、複数の顧客／使用者に向けられた信号を含む。それゆえ、１本の光ファイバを使って複数の信号を同時に伝送でき、これらの信号はその後、分割されて送達される。同様に、個々の信号を合体させて共通のライン上で伝送してから、最終的に分割されてルーティングおよび／または送達される。個々の帯域はそれゆえ、数名の使用者の集合を含む個々の使用者に関する信号に対応する、より小さな波長範囲に分割され、波長多重・分離機能を使って、共通ライン用の合成信号とルーティングおよび／または個々の使用者との接続用の個別信号との間で変換することができる。
【０００３】
アレイ導波路回折格子（ＡＷＧ）は、光信号のための波長多重および波長分離を実行するように設計された光回路構成部品である。プレーナ光回路によってＡＷＧは好都合なフォーマットとなり、これは、光ネットワーク内の所望の場所に設置できる。ＡＷＧは一般に、幅広い伝送を行う２つの光学素子、例えばスラブ導波路を含み、これらは様々な長さの導波路のアレイによって接続される。分散型導波路アレイの長さの差は、スラブ導波路内の、導波路アレイによって伝送される光間で適当な構築的および破壊的干渉が起こるように選択され、それによって干渉パターンによって多重波長信号（ｍｕｌｔｉ−ｃｈｒｏｍａｔｉｃ  ｓｉｇｎａｌ）が空間的に拡散されて、波長分離後に、より小さな波長範囲を別々に送信することができる。同様に、光が反対方向に伝送されると、ある波長範囲内の異なる波長を持つ入力信号の集合に関して、合成された多重波長信号が伝送される。アレイ導波路はそれゆえ、統合側と分散側を持つように構成されてもよく、光が統合側から分散側に通過すると、信号は多重波長信号へと波長分離され、またその逆に、光が拡散側から統合側に通過すると、多重波長信号が統合される。ＡＷＧの基本原理は当該技術分野において公知であり、例えば特許文献１に記載されている。
【先行技術文献】
【特許文献】
【０００４】
【特許文献１】米国特許第５，００２，３５０号明細書
【発明の概要】
【課題を解決するための手段】
【０００５】
第一の態様において、本発明は、合成信号導波路と、分散信号導波路の集合と、第一のスラブ導波路と、第一のスラブ導波路に光学的に接続された第一のミラーと、第一のミラーを支持するミラーアセンブリと、導波路アレイと、第二のスラブ導波路と、を含むプレーナ光波回路に関する。導波路アレイは、第一のスラブ導波路と第二のスラブ導波路を光学的に接続して、アレイ導波路回折格子を提供する。一般に、合成信号導波路または分散信号導波路の集合は、アクセスエッジにおいて第一のスラブ導波路に光学的に直接接続され、合成信号導波路または分散信号導波路の集合のうちの他方は、第二のスラブ導波路に光学的に直接接続される。有利な態様として、よりコンパクトなデバイス構造を提供するために、アクセスエッジから第一のスラブ導波路を通る光路は、ミラーから、導波路アレイと、合成信号導波路または分散信号導波路の集合の適当な素子を接続するアレイエッジへの光反射を提供することによって折り返される。ミラーで反射させる設計の構成では、約８０度以下の反射角度で所望の結果を得ることができ、アクセスエッジからミラーまでの光路の距離と導波路アレイからミラーまでの光路の距離の比は一般に約０．５〜約２となるであろう。いくつかの実施形態において、温度補正を提供するために、ミラーアセンブリはアクチュエータを含み、これは、温度変化に応答してミラーをスラブ導波路の平面内の回転に沿って旋回させることによって反射角度を変化させ、選択された温度範囲において、アレイ導波路回路を通る光の伝送の有効な温度補償を行う。
【０００６】
別の態様において、本発明は、合成信号導波路と、分散信号導波路の集合と、第一のアクセスエッジと第一のアレイエッジを含む第一のスラブ導波路と、第一のスラブ導波路に光学的に接続された第一のミラーと、第二のアクセスエッジと第二のアレイエッジを含む第二のスラブ導波路と、第二のスラブ導波路に光学的に接続された第二のミラーと、第一のスラブ導波路を第二の導波路に、それぞれのアレイエッジを通じて光学的に接続する導波路アレイと、を含むプレーナ光波回路に関する。いくつかの実施形態において、各スラブ導波路は、それぞれのアクセスエッジとそれぞれのアレイエッジとの間で折り返される光路を有し、これはミラーにより約８０度以下の角度で反射され、アクセスエッジからミラーまでの距離とアレイエッジからミラーまでの距離の比は約０．５〜約２である。
【０００７】
その他の態様において、本発明はプレーナ光波回路の作製方法に関し、この方法は、アクチュエータを基準温度で調整して、アレイ導波路回折格子を通る中心バースト波長を整列させるステップと、アクチュエータの調整後に箱体を密閉し、温度補償が行われる光回路を格納するステップと、を含む。
【０００８】
他の態様において、本発明は、合成信号導波路と、分散信号導波路の集合と、第一のスラブ導波路と、第一のスラブ導波路に光学的に接続された第一のミラーと、第一のミラーを支持するミラーアセンブリと、導波路アレイと、第二のスラブ導波路と、を含むプレーナ光波回路に関する。導波路アレイは、第一のスラブ導波路と第二のスラブ導波路を光学的に接続して、アレイ導波路回折格子を提供する。合成信号導波路または分散信号導波路の集合は、アクセスエッジにおいて第一のスラブ導波路に光学的に直接接続され、合成信号導波路または分散信号導波路の集合のうちの他方は、第二のスラブ導波路に光学的に直接接続される。有利な態様として、よりコンパクトなデバイス構造を提供するために、アクセスエッジから第一のスラブ導波路を通る光路は、ミラーから、導波路アレイと合成信号導波路または分散信号導波路の集合の適当な素子を接続するアレイエッジへの光反射を提供することによって折り返される。ミラーで反射させる設計の構成は、有利な態様として、約８０度以下の反射角度とすることができ、アクセスエッジからミラーまでの光路の距離と導波路アレイからミラーまでの光路の距離の比は一般に約０．５〜約２となるであろう。いくつかの実施形態において、ミラーアセンブリは含み、手動でのアクチュエータの調整は、中心波長を、選択された温度で合成信号導波路と分散信号導波路の間を通るように調節することによってＡＷＧの波長応答を設定する。
【図面の簡単な説明】
【０００９】
【図１】折り返し型スラブ導波路を有する光集積回路の、その回路のアレイ導波路に対する温度補正を行う旋回可能なミラーを備える、ある実施形態を示す。
【図２Ａ】折り返し光路型スラブ導波路の第一の代替的実施形態の上面図である。
【図２Ｂ】折り返し光路型スラブ導波路の第二の代替的実施形態の上面図である。
【図２Ｃ】折り返し光路型スラブ導波路の第三の代替的実施形態の上面図である。
【図３Ａ】旋回可能なミラーの、ミラーを回路内で旋回させることによって温度補正を行う代替的実施形態の平面図を示す。
【図３Ｂ】図２Ａの実施形態の立体側面図を示す。
【図４】図３Ａの実施形態含むパッケージの断面図を示す。
【図５Ａ】温度によって旋回可能なミラーの代替的実施形態の側面図である。
【図５Ｂ】第一の位置にある図５Ａの実施形態の平面図である。
【図５Ｃ】第二の位置にある図５Ａの実施形態の平面図である。
【図６Ａ】１対の折り返し型スラブ導波路と温度補正用の旋回可能なミラーを有する温度補償アレイ導波路の斜視図である。
【図６Ｂ】図６ＡのＡＷＧデバイス設計に適合された手動で調整可能なアクチュエータの部分斜視図である。
【図７Ａ】１対の折り返し型スラブ導波路と温度補正用の旋回可能なミラーを有する温度補償アレイ導波路の代替的実施形態の斜視図である。
【図７Ｂ】図７Ａの実施形態のアクチュエータの動作を示す概略図である。
【図８】図６および７Ａの実施形態により補正された温度補償アレイ導波路の温度補償性能のモデルのグラフである。
【図９】１つのチップ上に２つのＡＷＧを有するチップの、ある実施形態の上面図である。
【発明を実施するための形態】
【００１０】
温度補償機能付プレーナアレイ導波路回折格子（ＡＷＧ）のための改良されたフォーマットによって、性能を犠牲にすることなく、加工の低コスト化とフットプリントの縮小が可能となる。ＡＷＧは、アレイの両端にスラブ導波路を備えるプレーナ導波路アレイを有する。スラブ導波路は光の空間分散という重要な機能を実行し、それによってビームの発散および／または信号の干渉を提供して空間波長分離が行われるようにする。寸法は、かなりの程度、光学的要求によって決まるが、ＡＷＧの寸法は、ミラーを使ってスラブ導波路内の光路を折り返すことにより大幅に縮小できることがわかっており、スラブ導波路の物理的な大きさを縮小しながらも、スラブ導波路内の経路全体の長さは基本的に維持される。さらに、本明細書で説明する改良を利用することによって、導波路において、望ましい入力と出力アクセスをコアの回折光子に隣接させてルーティングすることができる。このような改良がなければ、ＡＷＧの構造は、アクセス導波路がコア回折格子から遠くにルーティングされたものとなる。アクセス導波路を隣接させてルーティングすると、光回路の面積の利用が格段に効率的となり、それによってＡＷＧデバイスの実際の大きさが実質的に縮小される。それゆえ、大きさの望ましい縮小は、スラブ導波路の小型化のほか、入力および出力アクセス導波路の位置決めの改善によっても実現される。
【００１１】
この小面積フォーマットでは、無動力の、すなわち「受動的」温度調整を利用して、実際の温度範囲での温度補償機能を有する小フットプリントのＡＷＧを作製でき、それによって、ＡＷＧの性能が事実上、温度非依存性となる。当該技術分野では、受動的温度補償機能を備える構成部品は、たとえそのデバイス内の機能材料に温度変化が生じても、アサーマル構成部品と呼ぶことができるが、受動的温度補償は、より正確には、その構成部品の機能性を説明する。代替的実施形態において、手動アクチュエータを使ってＡＷＧを通る中心波長の光路を調整でき、それと同時に、本明細書に記載の改良型設計で得られるコンパクトなフォーマットも利用できる。このような場合、それに加えて、受動的温度補償機能も実行できる。あるいは、手動で調整可能なアクチュエータを用いた構成は、その他の公知の温度特性補償手段を使用してもよく、例えば、デバイスに積極的に一定の温度を供給する方法があり、用途によってこのような他の手段のほうが好ましい。本明細書に記載の改良型デバイスの、より小さなフットプリントによって、より多くのデバイスをシリコンウェハ等の基板上にパターニングすることができ、このようなより多くのデバイスは同じ加工能力で相応に形成でき、デバイス１つ当たりのコストは相応に削減される。
【００１２】
ＡＷＧを通じた光信号の伝送は、温度変化によって損なわれる可能性がある。温度変化は光回路の寸法と屈折率を変化させ、これによって、中心波長（ＣＷ）、すなわち、光集積回路（ＰＩＣ）のあるチャネルのピーク伝送の波長をシフトさせる。本明細書では、温度が変化した時に信号精度が保持されるように有効な温度補償を行うＡＷＧが組み込まれた光アセンブリを説明する。ＡＷＧの一方または両方のスラブ導波路を通る光路を変更して、回折格子内の温度変化の影響を受動的に補償することが可能である。いくつかの実施形態において、ＡＷＧの温度調整では、温度によりその位置および／または向きを変化させ、信号がＡＷＧを通って伝送される際にその経路を変化させる可動式ミラーで信号を反射させる。可動式ミラーのいくつかの実施形態は、温度変化に感応するアクチュエータによって移動される旋回可能な反射体またはミラーを含む。ＡＷＧと温度補償のための関連構成部品は、当該技術分野ではアサーマルＡＷＧと呼ぶことができ、これはこれらが有効かつ自然に、温度管理された室内または箱体の外でのネットワーク応用で遭遇しうる温度変化を補償して、信号伝送が完遂されることを意味する。ＡＷＧの用途は、ネットワーク内での信号の方向付けである。
【００１３】
反射体またはミラーを旋回させることによって温度調整が行われる一方で、ミラーはまた、相応にデバイスの全体的大きさを縮小できる、スラブ導波路の大幅な小型化も可能にする。チャネル導波路の、ＡＷＧ構成部品へのアクセスエッジの位置決めに基づいて、スラブ導波路を通る光路は２つの部分に分割される。アクセスエッジを、アクセスエッジでの光路とミラーに対する法線との間の角度が約４５度以下となるように設置することによって、スラブ導波路を大幅に小型化でき、それに対応して、光路の２つの分枝を、約２以下の係数で相互に異なるように調整できる。それゆえ、デバイスのフットプリントを大幅に小型化でき、その一方で温度補正を提供できる。
【００１４】
本明細書で説明するように、ＡＷＧは、より長距離の光伝送ネットワークに適切に接続可能なプレーナ光波回路の中に組み付けられる。プレーナ光回路は一般に、適当な光学材料、一般にはシリカ系ガラスの平坦な基板上に形成され、その基板の上に積層およびパターニングされて所望の光路が形成される。適当な波長範囲の光を、当該技術分野で従来行われているように、異なる光学材料間の屈折率の差が適当であるような屈折率導波に基づいてパターニングされた光路に限定することができる。
【００１５】
ネットワークは一般に、送信者から受信者へと信号をルーティングするための適当な切替機能を含む。効率的な伝送およびルーティングシステムとするために、個々の信号は一般に、１本の光ファイバに沿って、より長距離にわたり伝送するために合成され、後に、意図された受信者へと適正にルーティングするために分離される。個別信号は、各個別信号に関連付けられる別の波長の数値または範囲を使って識別できる。このような一般的な主題は様々な伝送技術に適用できるが、ここでは特に光信号に関心を向ける。光信号は大量の情報を伝送する能力を有するが、光信号には、光信号の取扱いに関する明らかな課題も伴う。本明細書に記載のＡＷＧデバイスは一般に、少なくとも約８種類の波長まで、および多くは約１００種類の波長を合成または分離するという現在の要求に合わせて設計され、その波長群は一般に、波長範囲のだいたい約４０ｎｍ〜６０ｎｍの領域内に入る。しかしながら、本明細書に記載の改良型の光チップ設計は、現在使用されているものより広い性能範囲を有するＡＷＧに、より広く適用可能である。集合（ｇｒｏｕｐ）の中心波長の数値は光ネットワークのパラメータに合わせて設計され、現在は一般に、約１２５０ｎｍ〜約１６５０ｎｍの範囲内に入るが、将来のネットワーク設計は他の波長範囲にわたることもある。
【００１６】
複数の信号、例えば光信号を共通に伝送するために合成することは、波長多重と呼ぶことができ、これは、異なる波長の信号を共通の信号内に合成することを示す。合成された、異なる波長を有する信号、例えば光信号を分離することは、波長分離と呼ぶことができる。デバイスの中には、１つの方向に伝送される光信号を使用する波長多重と反対方向に伝送される光信号に関する波長分離を行うものがあり、それによって共通のデバイスを両方の機能に使用できる。ＭＵＸとｄｅＭＵＸという表現は、本明細書において、それぞれ波長多重および波長分離機能の代わりに使用され、本明細書において使用される「Ｄ／ＭＵＸ」の表現は、あるデバイスの波長多重および／または波長分離の複合的もしくは選択可能な機能、またはこれらの機能を実行する構造を示す。
【００１７】
温度補償ＡＷＧは、あるネットワーク内のＭＵＸ、ｄｅＭＵＸ、またはＤ／ＭＵＸデバイスとして使用するように設計できる。ＡＷＧは、光信号源、例えば光ファイバに容易に接続できるアセンブリの中にあってもよい。代替的または追加の実施形態において、ＡＷＧは、対応する光信号源に直結（ｈａｒｄ  ｃｏｎｎｅｃｔｅｄ）することができ、その後、ハウジングから延ばして光ネットワークに組み込んでもよい。このアセンブリを、多重波長信号キャリアと分散型光信号キャリアとの接続を受け入れるか、これらとの接続を有する１つのハウジング内に設置してもよい。第一と第二のキャリアは入力または出力であってもよく、ここで、入力と出力という用語はＡＷＧのＤ／ＭＵＸ機能を鑑み、どちらでもよい点に留意する。光信号キャリアという用語は、この文脈において、広い意味であり、光ファイバ、ファイバ束、ファイバリボン、導波路またはその他の信号伝送用構成部品を指す。光信号キャリアはネットワークの一部であってもよく、ＡＷＧに動作的に接続可能であってもよい。
【００１８】
温度補償ＡＷＧを提供する１つの方法は、Ｐｕｒｃｈａｓｅらの、“Ａｔｈｅｒｍａｌ  ＡＷＧ  ａｎｄ  ＡＷＧ  Ｗｉｔｈ  Ｌｏｗ  Ｐｏｗｅｒ  Ｃｏｎｓｕｍｐｔｉｏｎ  Ｕｓｉｎｇ  Ｇｒｏｏｖｅ  ｏｆ  Ｃｈａｎｇｅａｂｌｅ  Ｗｉｄｔｈ”と題する米国特許第７，０６２，１２７号に記載されており、同特許を参照によって本明細書に援用する。‘１２７号特許の構造では、２つの部品片からなり、これらの部品片間に溝またはギャップがあるベースにＡＷＧを設置することができる。アクチュエータは、温度変化に応答して長さが変化し、それによってベースの部品片の相対的な位置を調整し、温度補正を行う。ミラーをＡＷＧの中に組み込むことができ、それとともにＡＷＧのスラブ導波路のための特定の折り返し方式が採用された。折り返し方式は一般に、１つの面が光信号の受信を専門に行う多面形のスラブ導波路と、他の面を通る信号を反射するミラーと、を含んでいた。これらの面は離間され、相互に異なる方向を向き、入射光と反射光の間の角度は略垂直であり、スラブ導波路に関する空間要求はかなり大きかった。温度調整は、ミラーとスラブ導波路をヒンジにより結合されるベースの別々の部品片に取り付け、アクチュエータがヒンジの周囲でベースの各部品片を相互に関して移動させ、ミラーとスラブ導波路の相対的な位置を変更できるようにすることによって提供された。
【００１９】
比較的コンパクトなＡＷＧを形成する別の方法は、Ｚｉｒｎｇｏｂｌの、“Ｗａｖｅｇｕｉｄｅ  Ｇｒａｔｉｎｇ  Ｒｏｕｔｅｒ  ａｎｄ  Ｍｅｔｈｏｄ  ｏｆ  Ｍａｋｉｎｇ  Ｓａｍｅ  Ｈａｖｉｎｇ  Ｒｅｌａｔｉｖｅｌｙ  Ｓｍａｌｌ  Ｄｉｍｅｎｓｉｏｎｓ”と題する米国特許第５，７４５，６１６号において提示されており、同特許を参照によって本明細書に援用する。‘６１６号特許に記載されているように、自由空間領域は、導波路アレイの端に隣接する光を拡散させるために使用される。ミラーが、自由空間領域を折り返すものとして提案された。これらの折り返し方式には一般に、前述のような略垂直な２つの面を使用することか、またはスラブ導波路に１つのミラーではなく２つのミラーを使用する方式が含まれていた。これに対して、本明細書に記載の方法では、導波路内の２つのミラーを不要とすることができる。さらに、いくつかの実施形態によれば、スラブ導波路をより急峻に折り返すことができ、その結果、より大幅に小型化することが可能となる。また、本明細書で教示される構成にはまた、旋回式ミラーを使用した効率的な温度補正の提供も含まれる。
【００２０】
さらに特記すべき点として、‘６１６号特許はＩｎＰ導波路に関しており、これは約３．５という非常に大きな数値の屈折率とそれに対応する高屈折率差に基づく。屈折差の数値か大きいと、法線から斜めに離れる表面を通じた伝送に関して大きな損失が生じる可能性があり、それによって、設計上考慮すべき点が、それに対応するシリカ系ガラスに関して考慮すべき点と大きく異なる。‘６１６号特許の教示はそれゆえ、旋回式ミラー等の、離間された光構成部品との関係（ｉｎｔｅｒｆａｃｅ）からはかけ離れている。本明細書に記載の設計により、スラブ導波路の周囲に配置された構成部品の改良された相互作用と、旋回式ミラーまたはその他を収容するために、光構成部品の縁辺を越えて延びる構成部品の使用が可能になるという、複合的な利点が得られる。本明細書に記載のデバイスでは、例えばスラブ導波路とミラーとの間の自由空間には、ミラーの旋回を妨げない屈折率の一致する組成物、例えばゲル、グリースまたは接着剤を充填することができる。本明細書に記載のデバイスにおいて、チップの外部の光路を十分に短くして、導波路信号のビームウェストの範囲内に入るようにすることができ、それによってビーム管理に使用される光構成部品を追加することなく、回折損失をなくせる。
【００２１】
ＡＷＧの中で温度補正を行う他の方法は、米国特許第６，７０１，０４３号に示されている。光ファイバが、ＡＷＧに光を供給するレンズに接続される。レンズは温度変化に応答して移動可能なミラーを有する。ＡＷＧのための余分なレンズは、コストと製造の複雑さの原因となる。レンズは余分な光学素子であり、これが光学系の効率を低下させうる。さらに、スラブ導波路を通る光路はそれほど折り返されないため、‘０４３号特許はスラブ導波路の大幅な小型化について教示していない。これに対して、本明細書では、導波路から光を受け、この光を導波路へと直接、すなわち光学素子を介さずに反射する反射面を備える折り返し型スラブ導波路が提供され、本明細書に記載のスラブ導波路を通る光路では、スラブ導波路を通る光路を大きく折り返し、スラブ導波路のフットプリントの大幅な削減を実現する。
【００２２】
図１は、温度補償ＡＷＧのある実施形態を示しており、これは、レンズを使用せず、スラブ導波路の縁辺から非常に小さい間隔を空け、その一方で、温度補償の動作を提供するために調整のための十分な距離を保持しながらミラーを設置することによる、スラブ導波路を通るコンパクトな折り返し光路と低損失に基づき、大幅な改善を提供する。チップ１００は、基板１０４の上の光アセンブリ１０２を含み、デュアルコネクタ１０６が第一のネットワーク光信号キャリア１０８と第二のネットワーク光信号キャリア１１０の間を光学的に接続する。光アセンブリ１０２は、第一のスラブ導波路１１２と、第二のスラブ導波路１１４と、アレイ導波路１１６と、を有し、これらが光学的に接続されて、アレイ導波路回折格子を提供している。スラブ導波路１１４は、アクセスエッジ１１３と反射エッジ１１５を有する。光アセンブリ１０２はさらに、反射面１１９を有するミラー１１８とアクチュエータ１２０を含むミラーアセンブリ１１７を有する。
【００２３】
ミラーアセンブリ１１７は、ヒンジ１２２により、基板１０４に隣接するようにチップ１００に接続される。アクチュエータ１２０は固定具１２４で支持される。固定具は、直接または間接に支持手段１０４、チップ１００に取り付けられても、またはアクチュエータ１２０を保持するようにその他の方法で固定されてもよい。ヒンジおよび／またはミラーアセンブリおよび／または固定具は、チップまたは基板に直接固定されてもよい。光集積回路は、単独の材料で作製されてもよく（モノリシック）、ミラーアセンブリが直接その材料に固定される。例えば、図１の実施形態において、ミラーアセンブリとアクチュエータはどちらも基板１０４だけに接続され、ＰＩＣはモノリシックである。導波路１２８は、ネットワークキャリア１０８と、スラブ導波路１１４のアクセスエッジ１１３との光学的接続のための接続点１２９に光学的に接続される。代替的実施形態において、導波路１２８は複数の、いくつかの導波路、例えば２〜５の導波路と置き換えることによって、波長多重された光信号を供給または受信できる。内部キャリア１３０は、スラブ導波路１１２に光学的に接続される。ネットワークキャリア１０８を通る光信号は、内部キャリア１２８に、そしてアクセスエッジ１１３を通ってスラブ導波路１１４の中に伝えられる。光信号は素子１１４の中を、矢印１３２ａ、１３２ｂで例示される経路に沿って反射エッジ１１５に入り、また出るように通過し、ミラー１１８が反射面１１９で信号を反射して、スラブ導波路１１４を通り、アレイ導波路１１６の中に至らせる。信号はアレイ導波路１１６を通り、スラブ導波路１１２を通り、波長分離された（分散された）信号１３４として生成され、これらが分散信号導波路１３０の集合によって受信され、これが今度は、光ファイバのリボンとすることのできる外部キャリア１１０にその信号を伝える。光信号は、ＡＷＧが波長分離（統合）モード（ｄｅ−ｍｕｌｔｉｐｌｅｘｉｎｇ  （ｉｎｔｅｇｒａｔｉｖｅ）  ｍｏｄｅ）にある時、同様に逆の順序をたどることができる。図１の実施形態は、デュアルコネクタ１０６を結合する光信号キャリア１０８と１１０を示している。デュアルコネクタは一体であってもよく、これは、外部光信号キャリアに固定されて、これらを、ＡＷＧアセンブリを含むパッケージの内部の信号キャリアに光学的に連結する単独のハウジングを有することを意味するが、必要に応じて他のコネクタの設計も使用できる。
【００２４】
ミラー１１８はヒンジ１２２の周囲で旋回可能であり、アクチュエータ１２０を圧迫するように付勢されていてもよい。ミラーアセンブリ１１７は、ミラー１１８用のマウント１２１を有し、例えばスロットまたはその他の凹部にアクチュエータ１２０の遠位部１３６を受ける。いくつかの実施形態において、遠位部１３６はミラーに固定され、ヒンジ１２２はその分、付勢されない。アクチュエータ１２０は温度応答性材料を含み、これは温度変化に応答して、ミラー１１８の遠位端１３８を矢印Ａで示されるように旋回させる。アクチュエータ材料は、ＡＷＧを通過する光の経路を変化させるのに必要な量だけ膨張または収縮させるような熱膨張津を有するように選択されてもよい。矢印１３２ａと１３２ｂの間の角度αは、ミラー１１８に入射する光線とそこから反射される光線の間の角度を示す。角度αは、ミラー１１８が回転すると変化する。パッケージ１００の内側の温度が変化すると、アクチュエータ１２０の長さが変化して、ミラー１１８を回転させる。ミラーの回転は、例えば約０．１〜約１００ミリラジアンの間、また別の実施形態では約１〜約２５ミリラジアンの間であってもよい。当業者であればすぐにわかるように、明記された角度範囲内に入るすべての範囲と数値が考えられる。
【００２５】
図１の実施形態は、折り返し光路型スラブ導波路を示しており、これは光信号の進入と放出のための１つのアクセスエッジ１１３を有する。矢印１３２ａ、１３２ｂは、アクセスエッジ１１３を通る光信号の入射と出射を示し、光の入射と出射の間の角度は記号α（アルファ）で示される。アルファを制限することによって、折り返し型スラブ導波路とそれに伴う筐体（パッケージ）のフットプリントをより小さくすることができ、実施形態は約８０度以下の角度、またいくつかの実施形態では約３〜約７０度、別の実施形態では約５〜約６０度の角度を含み、当業者であればすぐにわかるように、明記された範囲内に含まれるすべての範囲と数値が考えられる。アルファの角度を小さくすることにより、信号品質を低下させることなく、コンパクトなＡＷＧフォーマットを提供できる。共通のアクセスエッジ１１３がチャネル導波路１２９への光学的接続と導波路アレイ１１６への光学的接続の両方のために使用されているため、光路の各々の部分から、すなわちチャネル導波路１２９からミラーまでの距離と導波路アレイからミラーまでの距離は基本的に等しい。
【００２６】
折り返し光路型スラブ導波路の別の実施形態が図２Ａ、２Ｂ、２Ｃに示されている。図２Ａを参照すると、折り返し光路型スラブ導波路１６０はミラー１６２に隣接する状態で示されており、これは温度変化に応答して旋回しても、しなくてもよい。スラブ導波路１６０はさらに、チャネル導波路１６４と導波路アレイ１６６に光学的に接続される。チャネル導波路１６４は、アクセスエッジ１６８においてスラブ導波路１６０と接続し、導波路アレイ１６６は、アレイエッジ１７０においてスラブ導波路１６０と接続する。チャネル導波路１６４からの光路はミラー１６２により反射され、角度アルファの反射を通じて導波路アレイ１６６に到達する。代替的実施形態が図２Ｂに示されている。図２Ｂに示されるように、折り返し光路は、チャネル導波路１７４間を、アクセスエッジ１７６を通じてスラブ導波路１７８に入り、ミラー１８０により角度アルファで反射され、アレイエッジ１８２を通って導波路アレイ１８４の中へと進む。この実施形態において、アクセスエッジ１７６はアレイエッジ１８２に関してミラー１８０に向かって移動されている。折り返し光路型スラブ導波路の別の代替的実施形態が図２Ｃに示されている。この実施形態では、折り返し光路はチャネル導波路１８６の間を、アクセスエッジ１８８を通ってスラブ導波路１９０に入り、ミラー１９２により角度アルファで反射され、アレイエッジ１９４を通って導波路アレイ１９６の中へと進む。この実施形態において、アクセスエッジ１８８はアレイエッジ１９４に関してミラー１９２から離れるように移動されている。
【００２７】
図２Ａと２Ｂのスラブ導波路の実施形態では、図１に関して説明した角度の範囲は依然として適当であり、これらはスラブ導波路のこれらの構成にも同様に適用される。これらの実施形態において、光路の２つの分枝は概して等しい長さではない。具体的には、チャネル導波路がスラブ導波路と接続するアクセスエッジからの距離は、ミラーから、導波路アレイがスラブ導波路と接続するアレイエッジまでの距離と異なる。一般に、アクセスエッジからミラーまでの距離とアレイエッジからミラーまでの距離の比は約０．５〜約２、別の実施形態では約０．７〜約１．５、別の実施形態では約０．８〜約１．２５である。当業者であればわかるように、上記の明確な範囲内のその他の距離の比の範囲も考えられ、本願の範囲に含まれる。図１、２Ａ、２Ｂ、２Ｃに示されるチャネル導波路は１つの合成信号導波路として示されているが、これらは複数の合成信号導波路または分散信号導波路の集合に置き換えることができ、これについては代替的実施形態に関して以下に詳しく説明する。
【００２８】
図１においてαとして示されているこの角度を小さくすることによって、ミラーの小さな動きで角度を変えることにより温度補正を提供することが可能となる。折り返し型スラブ導波路のためのミラーは、ミラーの反射面で光を反射して、光が大幅な損失なくスラブ導波路に再び入るように選択され、位置付けられる。大幅な、という用語は、この文脈では、その損失がいずれも信号伝送の達成を阻止せず、好ましい実施形態において、本明細書で説明する改良された小型設計を用いずに構成された同等のデバイスと比較して、光損失の増加分が１−ｄＢ未満であることを意味する。温度補正のための調整角度を小さくすることができるため、ミラーは、ミラーの反射面と、スラブ導波路のうち、光をその反射面へと通過させる面（反射エッジと呼ぶ）の間に小さなギャップを設けて設置してもよい。ギャップは、約１マイクロメートル〜約５０マイクロメートルの範囲であってもよく、当業者であればすぐにわかるように、明記された範囲内のすべての範囲と数値、例えば約２マイクロメートル〜約２０マイクロメートルまたは約１０マイクロメートル未満も考えられる。流体、ゲル、可撓性接着剤またはその他を、ミラーの旋回を大きく阻止することなく膨張率の差を補うためにギャップに充填でき、そのための適当な組成物は当該技術分野で周知であり、時間をかけて商業的改良が加えられる。温度補正を実現するために、ミラーの反射面を小さな量だけ、すなわち基準位置から約＋５０ミリラジアン〜約−５０ミリラジアンだけ旋回させてもよいが、当業者であればすぐにわかるように、明記された範囲内のすべての範囲と数値、例えば基準位置から約＋１０ミリラジアン〜約−１０ミリラジアン、またはいくつかの実施形態においては、基準位置から約＋３ミリラジアン〜約−３ミリラジアンも考えられる。旋回という用語は、反射面で反射された光の角度を変化させる運動を意味する。
【００２９】
ミラーという用語は、所望の動作波長範囲の光信号の反射に適した反射材料を含む。したがって、ミラーという用語は、光反射体、金属コーティングされたミラー、例えば銀メッキされたミラー、反射鏡基板、全反射ミラー、周期的反射板、多層干渉ミラー等を含む。干渉ミラーはしばしば、積層薄膜蒸着方法、例えば物理的気相成長法（蒸着またはイオンビーム援用蒸着を含む）、化学的気相成長法、イオンビーム蒸着、分子ビームエピタキシ、スパッタ蒸着等に基づく。干渉ミラーのための一般的な材料は、フッ化マグネシウム、二酸化シリコン、五酸化タンタル、硫化亜鉛、オキシ窒化シリコン、化合物半導体、二酸化チタンである。
【００３０】
ミラーは、アクチュエータで移動されてもよく、これは一般に、受動的に温度調整しても、または手動で調整してもよい。いくつかの実施形態において、アクチュエータは温度応答性材料を含んでいてもよく、これは、ガラスまたはシリコンと比較して、温度変化に応答して大きく膨張／収縮する材料を意味し、それによって温度応答性材料の運動を、本明細書で説明するような温度補正を行わせるために使用してもよい。温度応答性材料は、金属、金属合金、セラミック、硬質プラスチック材料またはこれらの複合材料または、流体駆動ピストン等の複合アセンブリであってもよい。金属および金属合金の例としては、アルミニウム、真鍮、青銅、クロム、銅、金、鉄、マグネシウム、ニッケル、パラジウム、プラチナ、銀、ステンレススチール、錫、チタン、タングステン、亜鉛、ジルコニウム、Ｈａｓｔｅｌｌｏｙ（登録商標）、Ｋｏｖａｒ（登録商標）、Ｉｎｖａｒ、Ｍｏｎｅｌ（登録商標）、Ｉｎｃｏｎｅｌ（登録商標）およびその他の１つまたは複数がある。温度応答性材料は、ＰＩＣまたはＡＷＧ材料に関して、または別の支持構造に関して熱膨張率の差が生じ、その熱膨張の差が、アクチュエータの膨張／収縮によってミラーの相対的運動を誘導となるように選択されてもよい。１つの実施形態において、（例えば、アクチュエータの温度応答性部材とモノリシックに形成されたＰＩＣおよび／またはＡＷＧとの間の）熱膨張率の差は少なくとも約１００％である。他の実施形態において、熱膨張率の差は少なくとも約２００％である。また別の実施形態において、熱膨張率の差は少なくとも約３００％であり、当業者であればすぐにわかるように、明記された範囲内のすべての範囲と数値も考えられる。手動で調整するアクチュエータは、ねじ、楔またはその他、所望の温度で動作するためにコンパクトなデバイスフォーマットを利用するためにＡＷＧを通る所望の光路を提供するようにミラーを位置付けるために使用できるその他の調整手段を含む。手動で調整可能な実施形態に関して、関連する構造的構成部品は相互に同じ材料でも、または同等の熱膨張率を有する材料でも製造できる。
【００３１】
アクチュエータは組成においてモノリシックとすることができ、これは、基本的に１つの材料で作製されることを意味し、基本的にこの文脈において、他の材料が存在しても、温度補償ＡＷＧにおいてそのアクチュエータの機能を実行するように設計された温度によるアクチュエータの寸法の変化を大きく変えないことを意味する。あるいは、アクチュエータは、独立して膨張および収縮することができ、それによって一方または他方がミラーの回転を制御できるような、複数の統合された、または異なる材料を含んでいてもよい。例えば、２種類の温度応答性材料を、明確に異なる温度応答係数を有する材料で分離してもよい。
【００３２】
あるいは、複数の温度応答性材料を接続して、それらの寸法変化がアクチュエータの運動に影響を与えるようにしてもよい。バイメタルストリップはこのような実施形態の一例である。例えば、実質的にまっすぐなバイメタルストリップは、温度変化に応答して折れ曲がるか湾曲できる。
【００３３】
アクチュエータは、温度によって引き起こされるミラーの回転を実現するのに適したどのような形状で提供されてもよい。したがって、これは実質的に直線的、実質的に平坦であっても、あるいはコイル状であってもよい。例えば、材料が三次元で熱膨張／収縮しても、アクチュエータは、熱膨張／収縮を利用して、１つの次元の運動を起こさせるように設計されてもよい。例えば、モノリシック材料の円柱形ロッドは一般に、その中心軸の周囲で膨張、収縮し、それによって、長さという１つの寸法が制御し、その設計に基づいて、ロッドの直径の温度による変化は重要ではないものとなる。あるいは、アクチュエータは、例えば１つの平面等の二次元、または３次元すべてにおける、温度により駆動される有益な運動を提供するように設計されてもよい。
【００３４】
アクチュエータは、温度応答性部分と温度非応答性部分を有するアセンブリとして提供されてもよい。例えば、非応答性材料のホルダが、自由に運動できる温度応答性材料に固定されてもよい。ホルダは同様にミラーまたはミラーアセンブリの非可動部分に関して動かない位置に固定される。
【００３５】
代替的なアクチュエータの実施形態と、２つの折り返し光路型スラブ導波路を有する温度補償ＡＷＧのある実施形態が図３Ａと３Ｂに示されている。光アセンブリ２００は、光学ガラスまたはその他の適当な材料で作製されるモノリシック部材２０２の上の光回路２０１を含む。光回路はアレイ導波路回折格子２０４を含み、これは導波路アレイ２１０によって結合された第一のスラブ導波路２０６と第二のスラブ導波路２０８からなる。第一のアクセスエッジ２１２は第一のスラブ導波路２０６に光学的に接続され、第二のアクセスエッジ２１４は第二のスラブ導波路素子２０８に光学的に接続される。図３Ａにおいて、第一のアクセスエッジ２１２は回路２０１の統合側２１３に結合され、第二のアクセスエッジ２１４は回路２０１の分散側２１５に結合される。第一のスラブ導波路２０６はミラー２１６を含み、第二の光誘導素子２０８はミラー２１８を含む。温度補正アクチュエータ２２０は第一と第二の温度応答性アクチュエータ部材２２２、２２４を有し、これらは、温度非応答性で、部材２２２と２２４の熱膨張率より実質的に低い熱膨張率を有する材料で作製された連結部材（ストラットとも呼ばれる）２２６、２２８によって結合される。ストラット部材２２８は、直接または間接にモノリシック部材２０２に固定される。連結用ストラット部材２２６はミラー２１８に接続され、ストラット部材２２６は少なくとも１自由度で移動でき、その運動がミラー２１８を旋回させる。したがって、ストラット部材２２６は、ミラー２１８に糊付けされ、融着され、またはそれと一体に形成され、または張力により対抗される静的接触を形成してもよい。
【００３６】
使用時に、アセンブリ２００は、アレイ導波路回折格子２０４の性能を変化させる可能性のある温度変化に曝されるかもしれない。しかしながら、温度変化によって温度応答性部材２２２および／または２２４の寸法が変化し、ストラット部材２２６を回転させ、それによってミラー２１８を旋回させるための力が生成される。ミラーは、ミラーとモノリシック部材２０２の間のヒンジ（図示せず）の周囲で旋回してもよく、または動かない固定点により制約されない。１つの実施形態において、ミラーはその中心の周囲で旋回する。あるいは、部材２２２、２２４のうちの一方だけを、熱膨張率が比較的大きい温度応答性材料で作製してもよく、それによって温度変化が、部材２２２、２２４のうちの一方の寸法を変化させ、旋回を制御する。これにより、ミラーが応答性部材の接触部と反対の縁辺を中心に旋回する実施形態が提供される。
【００３７】
ミラー２１６は、図３Ａに示される実施形態では、移動しない。しかしながら、その代わりに、温度補正用ミラー２１８の代用としてミラー２１６に温度補正を適用してもよい。または、ＡＷＧの、ミラー２１６、２１８を備える両端で温度補正を行ってもよく、これらはどちらも、温度変化に応答する移動によって温度補正される。
【００３８】
図３ＡのＡＷＧの実施形態は、ＡＷＧの改良されたコンパクトなフォーマットにつながる多くの特徴を含み、これは、ＡＷＧをウェハから加工する際に、また適当なパッケージ内の光学的デバイスのために有利に使用できる。具体的には、ＡＷＧは２つの折り返し光路型スラブ導波路を含み、これによってデバイス全体のための特に小型のフォーマットが実現する。両方のスラブ導波路を、上述のようなミラーからの光学的角度範囲と、上述のような光路の別々の分枝の距離の比の範囲で構築することができる。２つの折り返し光路型スラブ導波路を用いた場合、合成信号と分散信号のためのチャネル導波路は同じ方向に向けられる。順方向導波路と逆方向導波路を、スラブ導波路を通る光路の角度によって、隣接する光路に沿って方向付けることが可能であるために、導波路アレイの周囲の導波路の、より小型の構成により、大幅な小型化を行うことができる。それゆえ、デバイスは、デバイスのフットプリント、すなわち平面の面積が、例えば約５００ｍｍ２〜約７０００ｍｍ２、別の実施形態では約５００ｍｍ２〜約６０００ｍｍ２、他の実施形態では約５００ｍｍ２〜約５０００ｍｍ２の範囲となるように構成できる。これに対応する寸法は、約２５ｍｍ×４０ｍｍ〜約６５ｍｍ×８５ｍｍ、別の実施形態では約３０ｍｍ×４５ｍｍ〜約５５ｍｍ×７５ｍｍの範囲とすることができる。これらの寸法は、だいたい８０ｍｍ×１２０ｍｍの現在の市販のデバイスの大きさに匹敵する。本明細書に記載の設計技術はまた、ＰＩＣ技術の通常の発展について予想される今後の小型化を補い、さらに促進することになり、将来はデバイスのフットプリントをはるかに小型化できる。当業者であればわかるように、明記された上記の範囲内に含まれるその他の寸法も考えられ、本開示に含まれる。
【００３９】
小型化により、デバイスは、プレーナ光回路の基板として一般的に使用される円形のシリコンウェハ上に、より有効に設置できる。より小型のデバイスを円形のウェハの上に効率的に設置することによって、廃棄材料が減り、デバイスをウェハのスライスに好都合な向きとすることができる。ウェハを不規則に切り出す技術が開発されており、例えば、Ｃｏｌｅらの、“Ａｐｐａｒａｔｕｓ  ａｎｄ  Ｍｅｔｈｏｄ  ｔｏ  Ｄｉｃｅ  Ｉｎｔｅｇｒａｔｅｄ  Ｃｉｒｃｕｉｔｓ  ｆｒｏｍ  ａ  Ｗａｆｅｒ  Ｕｓｉｎｇ  ａ  Ｐｒｅｓｓｕｒｉｚｅｄ  Ｆｌｕｉｄ  Ｊｅｔ”と題する米国特許第６，７０５，９２５号に記載されている。このような流体ジェットによる流体噴射切断技術を本明細書に記載のデバイスに使用できるが、効率的な直線エッジ切断方式を本明細書に記載の、より小型のデバイスに使用でき、不要に大きな量のウェハ空間を無駄にせずにすむ。それゆえ、本明細書に記載の、より小型のデバイスにより、ブレードダイシング、傷入れ作業と劈開作業またはエッチング作業と劈開作業の一体化を、デバイスの切り出しに有効に使用でき、これによってシリコンウェハ材料を大量に無駄にすることなく、大きな製造上の利点が提供される。
【００４０】
次に、接続する導波路のすべてを、効率的な態様として、ＰＬＣの共通の縁辺に集めることができ、この縁辺は図３Ａの縁辺２４０である。この設計により、最終的なデバイスで使用するための光ファイバまたはその他が適当にまとめられるため、加工中の導波路の合理的なパターニングとＰＬＣとの好都合な接続が可能となる。
【００４１】
温度補償ＡＷＧはパッケージの一部であってもよい。図４は、筐体３０２の内部に温度補償ＡＷＧ  ２００とアクチュエータ２２０を備えるパッケージ３００を示す。筐体は適当な温度特性を有することができ、その結果、チップに熱をゆっくりと伝えることを通じてＡＷＧチップを有効に均一な温度とすることにより、過渡的な温度応答がデバイスの性能を変化させる可能性が低くなる。ＡＷＧは、反対の端にも他の光通信デバイスに接続するためのコネクタ（図示せず）を有する内部コネクタ３０４を介して光信号キャリア３０６、例えば光ファイバ集合またはリボンを介して接続される。ファイバリボンは、ゴムガスケットまたはその他のような弾性ブートを通じて筐体３０２の外に出すことができ、それによって剛性の筐体とファイリボンとの間の相互作用が減少する。パッケージ３００はネットワークに容易に接続でき、光信号キャリアと接続してＤ／ＭＵＸ機能を提供する。ＡＷＧ  ２００の質量は他の構成部品より比較的軽くすることができ、それによってＡＷＧは、パッケージの内部で浮動状態となるように設計してもよく、モノリシック構造２０２はコネクタ３０２に接続される以外には、パッケージに直接接続されていない。キャリア３０４は、回路２０１の分散側２１５と統合側２１３の両方のための光信号キャリアを含んでいてもよい。
【００４２】
本明細書に記載の温度補償ＡＷＧアセンブリは、ＡＷＧの中の光スラブ導波路（またはその他の光誘導用構成部品）の折り返し構成の結果として、堆積を縮小できる。折り返し光学系は、隣接する面に沿ってスラブ導波路に入る、またはそこから出る光信号を誘導することによって、さらに寸法を小さくすることができ、これは図３Ａに示されており、この図は、面２３０、２３２とこれらの面の法線２３０’、２３２’を有し、α（アルファ）で示されるそれらの間の角度が約４５度であるスラブ導波路を示している。すると、光は面を通って、表面に対して略垂直に入射および出射し、その表面でのあらゆる散乱損失が縮小される。角度アルファが比較的小さいため、スラブ導波路の光伝播領域の多くが折り返され、面１２８、１３０が隣接していることにより、スラブ導波路の小型のフォーマットが可能となる。角度アルフチァが小さいため、図１に示されるように、１つの平坦な面１４０を使用でき、信号の大きな損失は発生しない。これらの、またはその他の折り返し構成は、温度補正を行うためのアクチュエータのフットプリントを小さくできる構成によって補われてもよい。さらに、ＡＷＧとＤ／ＭＵＸ回路は、蒸着とダイシング工程により形成される最小限の寸法のモノリシック構造であってもよい。
【００４３】
図５は、ＡＷＧの温度補正用ミラーアセンブリの代替的実施形態を示す。ミラーアセンブリ４００は、マウント４０４に取り付けられた反射面４０２を有し、マウントは第一のアーム４０６と第二のアーム４０８に結合され、アーム自体はストラット４１０に結合される。アームの一方または、図の実施形態では、各アームは、それぞれアーム４０６、４０８のスロット４１２、４１４を有する。アーム４０６、４０８の、スロット４１２、４１４に隣接する部分はヒンジ４１６、４１８である。アセンブリ４００は、反射面４０２がスラブ導波路に入る、およびそこから出る光を反射する位置となるように取り付けられる。温度が上昇すると、アセンブリは第一の位置４２０から第二の位置４２２に移動し、これは、アーム４０８がアーム４０６より膨張する傾向があるからであり、反射面４０２は、図４Ｃにおいて矢印Ａで示されているように回転する。スロット４１２、４１４の寸法は、アーム４１４、４１２の寸法が変わると変化する。温度が低下すると、ミラーとスロットは位置４２０を通過して、アーム４０８がアーム４０６より収縮し、それによって反射面４０２は矢印Ａで示される方向と反対に旋回する。材料と寸法は、アームが所望の量だけ旋回するように選択されてもよい。アームは、異なる熱膨張率を有するように選択されてもよく、より応答性の高い方の熱膨張率はシステムの中のもう一方または他の膨張率の１０５％〜３００％の間であるが、当業者であればすぐにわかるように、明記された範囲内に含まれるすべての範囲と数値も考えられる。
【００４４】
プレーナ光回路は、化学的気相成長法（ＣＶＤ）またはその他の蒸着工程を使ってウェハ上に形成でき、これについては後述する。光回路の形成が完了した後、ウェハは一般にダイシングされ、ミラー（適当な反射材料を備える）がダイシングされた縁辺に取り付けられてもよく、その縁辺はミラーを取り付ける前に研磨することができる。ウェハまたはその他の基板のダイシングは、ソー、ウォータジェット、レーザまたはその他適当な切断用具または技術を使って行うことができる。あるいは、ミラーアセンブリは、アクチュエータとともにＡＷＧおよび回路と構成され、それらと統合されてもよい。一般に、複数の回路が１枚のウェハ上に形成され、本明細書に記載の小さなフットプリントにより、１枚のウェハにより多くのＡＷＧ回路を形成できる。このように１枚のウェハ上にＡＷＧ回路を高密度にパッキングすることで、そのウェハに関わる各ＡＷＧの材料費が削減され、また、一度により多くの回路を加工でき、これは、加工費が一般にウェハ数で償却されるからであり、このことにより、より多数のＡＷＧにわたる堆積室などの製造設備の加工コストと資本コストが償却される。つまり、光回路のフットプリントの縮小は、生産効率の向上につながり、それにコスト削減と製造に関わる節約が伴う。
【００４５】
温度補償ＡＷＧの他の実施形態が図６Ａに示されている。図３ａのチップと同様のモノリシックプレーナ光波回路（ＰＬＣ）５００は、ベース５０２に取り付けられている。ＰＬＣ  ５００は、温度補償ＡＷＧ  ５０４を有し、これはＡＷＧ  ５０４に取り付けられた第一のミラーアセンブリ５０６とベース５０２に取り付けられた第二のミラーアセンブリ５０８を含む。ミラーアセンブリ５０６、５０８は、折り返し型導波路５１０、５１２の部材として形成された反射面を備えるミラーからなる。ミラーアセンブリ５０６は、位置が変わらない。外部光学導波路５１４、５１６は、ＰＬＣ  ５０２のためのネットワークまたはその他の構成部品との光通信を提供する。ベース５０２は、例えばスレッドナット（ｔｈｒｅａｄ  ａｎｄ  ｎｕｔ）５２４でベースに固定されたアクチュエータ５２０を含む。ベース５０２はまた、第一のネック５２６と第二のネック５２８を有する。穴５３０は、両方のネックに隣接し、各ネックの少なくとも片側を画定する。アクチュエータ５２０は温度応答性材料を含む。温度が変化すると、アクチュエータ５２０は、矢印Ｘに示されるように膨張または収縮する。この運動によって、ミラーアセンブリ５０８は矢印Ｙに示されるように旋回する。ネック５２６、５２８によって、アクチュエータにより生成される力の作用を受ける断面積が比較的小さくなり、また、小さな面積であるために、ネックでの旋回／屈曲が可能となり、それがミラーアセンブリ５０８を相応に旋回させる。ＡＷＧ  ５０４と折り返し型スラブ導波路５１２が小さいことが特に、ミラーアセンブリ５０８の中のミラーの小さな回転で温度補正の提供を可能にする。アクチュエータ５２０の膨張／収縮による力はベース５０２全体に分散するだけでなく、ネックに集中し、その結果、温度によるスムーズで予想可能な変化が実現する。
【００４６】
図６ａに示されるプレーナ光波回路には、手動で調整するアクチュエータを利用できる。手動で調整するアクチュエータを備えるプレーナ光波回路が、部分図である図６ｂに示され、図６ａのデバイスと共通する特徴は描かれていない。図６ｂを参照すると、ベース５４０は、ベースに例えばスレッドナット５４４によって固定されたアクチュエータ５４２を含む。ベース５４０はまた、第一のネック５４６と第二のネック５４８を有する。穴５５０は、両方のネックに隣接し、各ネックの少なくとも片側を画定する。アクチュエータ５４２は、ベース５４０の他の部分と同じ材料から、または同様の熱膨張率の材料から形成することができる。アクチュエータはヘッド５５２を含むことができ、これはねじ回しまたはその他と係合するためのフランジ等の係合要素５５４を有する。当業者であればわかるように、手動による調整の他の設計も、当該技術分野の知識に基づいて使用し、受動的温度調整を行うことなく、ＡＷＧデバイスのコンパクトな設計を利用できる。
【００４７】
ネックは旋回点であり、それによってアクチュエータの膨張または収縮時にベースが移動される。したがって、本発明の実施形態は、複数の旋回点、例えば２つの点で結合された複数の部分を有するベースに搭載されたＰＬＣを含み、１つまたはそれ以上のアクチュエータもまた、これらの部分を結合する。
【００４８】
温度補償ＡＷＧの他の実施形態が図７Ａに示されている。モノリシックＰＬＣ  ６００がベース６０２に取り付けられている。ＰＬＣ  ６００は温度補償ＡＷＧ  ６０４を有し、これはＡＷＧ  ６０４に取り付けられた第一のミラーアセンブリ６０６とベース６０２に取り付けられた第二のミラーアセンブリ６０８を含む。ミラーアセンブリ６０６、６０８は、折り返し型導波路６１０、６１２の１部材として設置された、反射面を備えるミラーからなる。外部光導波路６１４、６１６は、ＰＬＣ  ６００のためのネットワークまたはその他の部品との光通信を可能にする。ベース６０２は、任意選択的にスレッド６２０でベースに固定されたアクチュエータ６２２、６２２’を含む。ベース６０２はまた、第一のネック６２６と第二のネック６２８を有する。穴６３０は両方のネックに隣接し、各ネックの少なくとも片側を画定しており、穴６３１はネック６２６に隣接する。アクチュエータ６２２、６２２’は、温度応答性材料を含み、アクチュエータは同じまたは異なる材料を有していてもよい。アクチュエータ６２２、６２２’の一方または両方は、圧縮された状態で取り付けられてもよく、ベース部分６４４、６４６は押し広げられ、したがって、部材６４４、６４６はそれゆえ、相互に向かって収縮するように付勢されていることになる。しかしながら、あるいは、収縮されて補正するアクチュエータを６４４と６４６の両方に固定して、６４４と６４６が収縮されて相互に向かって押されるようにしてもよい。
【００４９】
温度が変化すると、アクチュエータ６２２、６２２’は矢印Ａで示されるように膨張または収縮する。この移動により、ミラーアセンブリ６０８は矢印Ｂで示されるように回転する。ネック６２６、６２８によって、アクチュエータにより生成される力の作用を受ける断面積が比較的小さくなる。ＡＷＧ  ６０４と折り返し型スラブ導波路６１２が小さいことが特に、ミラーアセンブリ６０８の中のミラーの小さな回転で温度補正の提供を可能にする。アクチュエータ６２２、６２２’の膨張／収縮による力はベース６０２全体に分散するだけでなく、ネックに集中し、その結果、温度によるスムーズで予想可能な変化が実現する。校正用ねじ６４０、６４２で、距離設定のため校正を行うことができる。
【００５０】
温度補償ＡＷＧは複数のアクチュエータを備えていてもよく、アクチュエータのうちの１つの熱膨張率は他より大きく、例えば約５％〜約３００％大きいが、当業者であればすぐにわかるように、明記された範囲内のすべての範囲と数値が考えられ、例えば少なくとも約５％または、約１０％〜約５０％大きくてもよい。アクチュエータの少なくとも１つは、それに加えて、またはその代わりに、他のアクチュエータとは異なる機械的利点を有して、アクチュエータの膨張によるミラーの回転速度がアクチュエータ同士で異なるようになっていてもよい。アクチュエータは協働して、アクチュエータのうちの１つが第一の温度範囲にわたる選択された温度補正を専門に行い、他のアクチュエータが第二の温度範囲にわたる選択された温度補正を専門に行うようにしてもよく、これらの温度範囲は相互に異なる。例えば、第一のアクチュエータは、室温（約２０℃）に関する温度上昇に対して選択的補正を行ってもよく、第二のアクチュエータが室温に関する温度下降に対して選択的補正を行う。
【００５１】
それゆえ、例えば、図７Ａの温度補正ＡＷＧ  ６０４には、異なる温度範囲について動作するように設計されたアクチュエータ６２２、６２２’が設けられてもよい。デュアルアクチュエータ温度補償の動作の概略図が図７Ａに示されている。一般に、アクチュエータ６２２、６２２’は、同等の熱膨張率を有するように設計できるが、旋回点に関するレバーアームの違いから、アクチュエータは異なる熱応答で動作できる。温度Ｔ０は、熱応答が２つのアクチュエータの制御間で切り替えられる温度である。図７Ｂのパネル（ｂ）は、校正された温度Ｔ０、例えば室温で中立位置にあるシステムを示す。温度が校正温度より下降すると、アクチュエータ６２２ｂ、６２２ｂ’は両方とも収縮し、ベース部分６４６ａ、６４４ａが相互に近づく。レバーアームの違いによって、アクチュエータ６２２ｂだけがこの温度範囲でのミラーの旋回を制御する。したがって、ミラーアセンブリ６０８は、バー６２２ｂの収縮によって決まる時計方向に回転する。温度がＴ０より上昇すると、両方のアクチュエータが膨張する。レバーアームの違いによって、アクチュエータ６２２ｂ’がミラー６０８の運動を制御し、これは図７Ｂのパネル（ｃ）の中でバー６２２ｂ’が６４４ａと係合していることによって示される。６２２ｂ’の膨張によって、ミラーアセンブリ６０８は反時計回り方向に回転する。それゆえ、個々のアクチュエータアームが異なる温度範囲についてミラーの運動を制御する、すなわち６２２ｂはＴ＜Ｔ０、６２２ｂ’はＴ＞Ｔ０について制御する。
【００５２】
図８は、前述のような温度により旋回するミラーと折り返し型スラブ導波路を備えるように作製された温度補償ＡＷＧのモデルのグラフ７００である。横軸は摂氏で表される温度である。縦軸はそのアセンブリによって提供される理想的な伝送条件からの偏差を示し、例えば、ＩＴＵオフセットがピコメートルで表される。ＩＴＵは、国際電気通信連合（Ｉｎｔｅｒｎａｔｉｏｎａｌ  Ｔｅｌｅｃｏｍｍｕｎｉｃａｔｉｏｎｓ  Ｕｎｉｏｎ）の略であり、これは高密度波長分割多重方式のための理想的なグリッド波長の標準を提供している。容認可能なＩＴＵオフセットの絶対値は用途に依存する。それゆえ、用途によっては許容されるＩＴＵの絶対値が約５０ｐｍ以下、またある実施形態では約２０または約３０ｐｍ以下であってもよい。曲線７０２は、１つのアクチュエータ５２０で補正されるＡＷＧ  ５０４に関して理論的に推定されるオフセットである。ＡＷＧは、２０℃（曲線の最下点）で調整され、ＡＷＧが有効に温度補償されると、理想からの偏差は−４０〜８０℃の範囲でＩＴＵオフセットｐｍ０〜約３５ｐｍである。曲線の最下点は、ＡＷＧの調整によって必要に応じて移動してもよく、他の範囲での他の偏差を得ることができる。曲線７０４はＡＷＧ  ６０４に関して理論的に推定されるオフセットで、曲線７０６、７０８の合成であり、デュアルアクチュエータシステムで得られる制御を示している。曲線７０６は、ＡＷＧが温度の上昇に応答して第一のアクチュエータ６２２’により補正されたことを示し、曲線７０８は、温度下降に応答して第二のアクチュエータ６２２によって補正されたことを示す。曲線７０６、７０８は図のように基準温度に調整してもよく、または曲線を別の基準温度に基づいてシフトさせてもよい。
【００５３】
いくつかの実施形態において、１つのチップの上に２つまたはそれ以上のＡＷＧを集積して、１つのチップ上に複数の光構成部品を集積するＰＬＣ技術の強力な能力を利用することが望ましい。２つのＡＷＧを備える代表的なＰＬＣが図９に示されている。具体的には、チップ７４０は、第一のＡＷＧ  ７４２と、第二のＡＷＧ  ７４４と、光切替素子７４６と、を含み、例えば、再構成可能追加削除多重化（ｒｅｃｏｎｆｉｇｕｒａｂｌｅ  ａｄｄ−ｄｒｏｐ  ｍｕｌｔｉｐｌｅｘｉｎｇ）機能を提供する。第一のＡＷＧ  ７４２は、第一の折り返し型スラブ導波路７５０と、第二の折り返し型スラブ導波路７５２と、導波路アレイ７５４と、を含み、第二のＡＷＧ  ７４４は、第一の折り返し型スラブ導波路７６０と、第二の折り返し型スラブ導波路７６２と、導波路アレイ７６４と、を含む。各折り返し型スラブ導波路７５０、７５２、７６０、７６２は適当なミラーに関連付けられ、これらは、温度補償動作を提供するための旋回を行っても、行わなくてもよい。いくつかの実施形態において、各ＡＷＧに関連付けられる少なくとも１つのミラーが旋回して温度補償を行う。光学的切替素子７４６の詳細な設計は本明細書の説明には関係がなく、当業者がデバイスの特定の目的を達成するように選択できる。しかしながら、各ＡＷＧの温度補償では、各ＡＷＧの中で個別に基準反射角度をずらすことによって各ＡＷＧの中心波長の調整が行われ、必要に応じたデバイス全体のエラー削減が実現される。１つのチップに調整された２つのＡＷＧを設置できることから、多重ＡＷＧ回路の実質的な小型化とチップの高密度パッケージが可能となる。
【００５４】
一般に、１つまたは複数のアクチュエータはそれゆえ、ベースの第一の部分と第二の部分を結合することができる。ベースの一方の部分はミラーを有し、これはベースの他方の部分の中に直接形成されるＰＬＣに含まれる。あるいは、ＰＬＣが、ベースの他方の部分に搭載される構造の一部である。動作的な結合は、１つまたは複数のアクチュエータを一方および／または両方の部分に固定することによって行うことができる。固定は、接着剤、ねじ、またはその他の好都合な手段で行ってもよい。部分は、アクチュエータまたはその他の構造のいずれかによって付勢されてもよい。アクチュエータの運動によって、ベースの部分が相互に関して移動し、ミラーを旋回させる。この旋回が、温度補正を提供する。
【００５５】
ＰＬＣを形成するための材料は、ＣＶＤ、その変形版、火炎堆積法またはその他適当な蒸着方法を使って基板上に堆積させることができる。適当な基板としては、例えば、より高い加工温度に対する適当な耐性を有する材料、例えばシリコン、セラミックス、例えばシリカまたはアルミナ、またはその他がある。いくつかの実施形態において、適当な二酸化シリコン前駆体を導入することができ、シリカガラスをドープして、所望の屈折率と加工特性を持たせることができる。パターニングは、フォトリソグラフィまたはその他適当なパターニング技術で実行できる。例えば、ＰＬＣ用の最上部クラッド層として使用するために、Ｇｅ、Ｐ、Ｂをドープしたシリカガラスをプラズマ助長ＣＶＤ（ＰＥＣＶＤ）に基づいて形成することが、Ｚｈｏｎｇらの、“ＧＥＢＰＳＧ  Ｔｏｐ  Ｃｌａｄ  ｆｏｒ  ａ  Ｐｌａｎａｒ  Ｌｉｇｈｔｗａｖｅ  Ｃｉｒｃｕｉｔ”と題する米国特許第７，１６０，７４６号明細書に記載されており、これは参照によって本明細書に援用される。同様に、光プレーナ導波路のためのコアの形成が、例えばＺｈｏｎｇらの“ＧＥＰＳＧ  Ｃｏｒｅ  ｆｏｒ  ａ  Ｐｌａｎａｒ  Ｌｉｇｈｔｗａｖｅ  Ｃｉｒｃｕｉｔ”と題する米国特許第６，６１５，６１５号明細書に記載されており、これは参照によって本明細書に援用される。適当な導波路アレイ形成のためのパラメータは、当該技術分野で公知である。
【００５６】
温度補償ＡＷＧは、ネットワークの一部であってもよい。光ネットワークは、ネットワーク接続と、複数の使用者光サービス接続と、ネットワーク接続と複数の使用者光サービス接続を光学的に接続するＤ／ＭＵＸ構造、例えばアレイ導波路回折格子と、を含むことができる。ネットワーク接続は、１つまたは複数の共通光学接続を含む。共通接続は一般に、ネットワーク上で複数の波長の光信号を伝送する共通チャネルに光学的に接続され、これには、いくつかの実施形態において、長い距離が関わることがある。いくつかの実施形態において、使用者光接続は、使用者からの入力および出力信号と関連する別々の接続を含むことができるが、出力信号は広帯域信号とすることができ、その結果、波長多重動作によってその使用者に伝送するのに適した波長が選択される。
【００５７】
一般に、本明細書に記載のＤ／ＭＵＸ構造は受動光ネットワーク（ＰＯＮ）の構成部品として有効に使用でき、それによって例えば、ネットワーク内の分枝、例えばネットワーク終端でのインタフェースを提供する。受動光ネットワークでは、受動的光構成部品が、中央オフィスと、使用者／顧客の宅内であってもよい端末点の間のトラフィックルーティングを行う。一般に、ネットワークは、音声、映像、データサービスの１つまたは複数を提供することができ、これらは複数のサービスプロバイダにより提供可能である。例えば、光ネットワークは、インターネットサービスプロバイダによって提供される広帯域インターネットサービスを伝送できる。しかしながら、本明細書に記載のＤ／ＭＵＸ構造は、直接的な使用者／顧客チャネルとのインタフェースを提供することに加えて、またはその代わりに、別のネットワーク分枝セグメントの接続のために使用可能である。使用者接続に直接インタフェースが提供される実施形態において、使用者接続は、直接または間接に適当な送信機と受信機に接続することができ、これらはそれぞれ信号を発信し、または終了させる。
【００５８】
プレーナ光回路は、光通信用構成部品のための、好都合な、容易に集積できるコンパクトなフォーマットを提供する。アレイ導波路回折格子（ＡＷＧ）は、プレーナ光回路フォーマット内にＤ／ＭＵＸ機能を提供する。プレーナＡＷＧ構造は、その他のプレーナデバイスと集積することも、および／または、必要に応じてネットワークに組み込むための適当な外部光学素子と接続することもできる。
【００５９】
上記の実施形態は例示のためであり、限定するものではない。他の実施形態は特許請求の範囲の中にある。これに加えて、本発明を特定の実施形態に関して説明したが、当業者であればわかるように、本発明の主旨と範囲から逸脱することなく、形態や詳細を変更してもよい。前述の文献の参照による援用は、本明細書における明確な開示内容と相容れない主旨が援用されないように限定される。
【図１】
2018189972.tif 000003
【図２Ａ】
2018189972.tif 000004
【図２Ｂ】
2018189972.tif 000005
【図２Ｃ】
2018189972.tif 000006
【図３Ａ】
2018189972.tif 000007
【図３Ｂ】
2018189972.tif 000008
【図４】
2018189972.tif 000009
【図５Ａ】
2018189972.tif 000010
【図５Ｂ】
2018189972.tif 000011
【図５Ｃ】
2018189972.tif 000012
【図６Ａ】
2018189972.tif 000013
【図６Ｂ】
2018189972.tif 000014
【図７Ａ】
2018189972.tif 000015
【図７Ｂ】
2018189972.tif 000016
【図８】
2018189972.tif 000017
【図９】
2018189972.tif 000018
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
合成信号導波路と、
分散信号導波路の集合と、
第一のスラブ導波路と、
前記第一のスラブ導波路に光学的に接続された第一のミラーと、
前記第一のミラーを支持するミラーアセンブリと、
導波路アレイと、
第二のスラブ導波路と、
を含むプレーナ光波回路において、
前記導波路アレイが、前記第一のスラブ導波路と前記第二のスラブ導波路を光学的に接続して、アレイ導波路回折格子を提供し、前記合成信号導波路または前記分散信号導波路の集合が、アクセスエッジにおいて前記第一のスラブ導波路に光学的に接続され、前記合成信号導波路または前記分散信号導波路の集合のうちの他方が、前記第二のスラブ導波路に光学的に接続され、前記アクセスエッジから前記第一のスラブ導波路を通る光路が、前記第一のミラーから、前記導波路アレイと、前記合成信号導波路または前記分散信号導波路の集合の適当な素子を接続するアレイエッジへの光反射を提供することによって折り返され、
前記第一のミラーで反射させる設計の構成では、反射角度が約３度から約７０度であり、前記アクセスエッジから前記第一のミラーまでの光路の距離と前記導波路アレイから前記第一のミラーまでの光路の距離の比が約０．５〜約２であり、前記ミラーアセンブリがアクチュエータを含み、これは、温度変化に応答して前記第一のミラーを旋回させることによって前記角度を変化させ、選択された温度範囲において、当該プレーナ光波回路を通る光の伝送の有効な温度補償を行うプレーナ光波回路。
【請求項２】
前記ミラーが前記ミラーアセンブリの中に配置された旋回軸の周囲で旋回する、請求項１に記載のプレーナ光波回路。
【請求項３】
前記ミラーアセンブリが前記ミラーに固定されたマウントと、前記マウントに固定され、第一の熱膨張率を有する第一のアクチュエータと、前記マウントに固定され、第二の熱膨張率を有する第二のアクチュエータと、を含み、温度変化に応答して前記第一と第二のアクチュエータの長さの差動的変化が前記マウントを移動させ、前記角度を変化させる、請求項１または２に記載のプレーナ光波回路。
【請求項４】
前記アレイ導波路回折格子がベース上に搭載され、前記ミラーアセンブリが前記ベース上に搭載され、前記アクチュエータが前記ベースに取り付けられて、前記アクチュエータの長さの変化が前記ベースまたはその一部分を移動させ、前記ミラーアセンブリを旋回させることによって、有効に温度補償された光の伝送を提供する、請求項１または２に記載のプレーナ光波回路。
【請求項５】
前記ミラーアセンブリが、
基準値より上の第一の温度範囲について、第一の熱膨張率にしたがって膨張することによって前記ミラーまたはその他の反射面を旋回させ、前記アレイ導波路回折格子を通る光の、有効に温度補償された伝送を提供する第一のアクチュエータと、
基準値より下の第二の温度範囲について、第二の熱膨張率にしたがって収縮することによって前記ミラーまたはその他の反射面を旋回させ、前記アレイ導波路回折格子を通る光の、有効に温度補償された伝送を提供する第二のアクチュエータと、
を含む、請求項１または２に記載のプレーナ光波回路。
【請求項６】
前記アレイ導波路回折格子がベース上に搭載され、前記ミラーアセンブリが前記ベース上に搭載され、前記第一のアクチュエータと前記第二のアクチュエータが前記ベース上に搭載される、請求項５に記載のプレーナ光波回路。
【請求項７】
前記導波路の全てが、光学ガラスを含む単独モノリシック部材の中にあり、１つまたは複数の前記ミラーアセンブリが接続ストラットによって前記モノリシック部材に固定される、請求項１〜６のいずれか１項に記載のプレーナ光波回路。
【請求項８】
前記反射角度が約５度〜約６０度の範囲内にある、請求項１〜７のいずれか１項に記載のプレーナ光波回路。
【請求項９】
前記アクセスエッジから前記ミラーまでの光路の距離と、前記導波路アレイから前記ミラーまでの光路の距離の比が約０．７５〜約１．５の範囲内である、請求項１〜８のいずれか１項に記載のプレーナ光波回路。
【請求項１０】
前記合成信号導波路が前記アクセスエッジにおいて前記第一のスラブ導波路に光学的に接続される、請求項１〜９のいずれか１項に記載のプレーナ光波回路。
【請求項１１】
前記分散信号導波路が前記アクセスエッジにおいて前記第一のスラブ導波路に光学的に接続される、請求項１〜１０のいずれか１項に記載のプレーナ光波回路。
【請求項１２】
前記第二のスラブ導波路が第二の可動式ミラーを含み、温度に応答する前記第一のミラーと前記第二のミラーの両方の運動が合同で、前記回路を通る光の、有効に温度補償された伝送を提供する、請求項１〜１１のいずれか１項に記載のプレーナ光波回路。
【請求項１３】
フットプリントが約５０００ｍｍ２〜約５００ｍｍ２の範囲内である筐体をさらに含み、前記プレーナ光波回路が、約１２５０ｎｍ〜約１６５０ｎｍの波長範囲で動作し、前記筐体が光コネクタを露出させて、合成光信号と分散光信号に関する光ファイバとの直接または間接の光学的な接続を提供する、請求項１２に記載のプレーナ光波回路。
【請求項１４】
前記合成信号導波路と前記分散信号導波路が共通のエッジに接続する、請求項１３に記載のプレーナ光波回路。
【請求項１５】
前記アクチュエータが、アルミニウム、真鍮、青銅、クロム、銅、金、鉄、マグネシウム、ニッケル、パラジウム、プラチナ、銀、ステンレススチール、錫、チタン、タングステン、亜鉛、ジルコニウム、Ｈａｓｔｅｌｌｏｙ（登録商標）、Ｋｏｖａｒ（登録商標）、Ｉｎｖａｒ、Ｍｏｎｅｌ（登録商標）、Ｉｎｃｏｎｅｌのうちの１つまたは複数を含む、請求項１〜１４のいずれか１項に記載のプレーナ光波回路。
【請求項１６】
選択された温度範囲について有効に温度補償された光回路を調整する方法であって、
請求項１〜１５のいずれか１項に記載のプレーナ光波回路と、前記プレーナ光波回路のための箱体を提供するステップと、
前記アクチュエータを基準温度で調整し、前記アレイ導波路回折格子を通る中心バースト波長を整列させるステップと、
前記アクチュエータの調整後に前記箱体を密閉して、前記温度補償された光回路を格納するステップと、
を含む方法。
【請求項１７】
合成信号導波路と、
分散信号導波路の集合と、
第一のアクセスエッジと第一のアレイエッジを含む第一スラブ導波路と、
前記第一のスラブ導波路に光学的に接続される第一のミラーと、
第二のアクセスエッジと第二のアレイエッジを含む第二のスラブ導波路と、
前記第二のスラブ導波路に光学的に接続される第二のミラーと、
前記第一のスラブ導波路を前記第二の導波路を、それぞれのアレイエッジを通じて光学的に接続する導波路アレイと、
を含むプレーナ光波回路において、
各スラブ導波路が、それぞれの前記アクセスエッジとそれぞれの前記アレイエッジの間の折り返し光路を有し、前記ミラーで約３度から約７０度の角度で反射させ、前記アクセスエッジから前記ミラーまでの距離と前記アレイエッジから前記ミラーまでの距離の比が約０．５：１〜約２：１であるプレーナ光波回路。
【請求項１８】
前記第一のミラーを支持し、選択された温度範囲について、温度変化に応答して前記第一のミラーを旋回させることによって前記角度を変化させ、当該プレーナ光波回路を通る光の、有効に温度補償された伝送を提供するアクチュエータを含むミラーアセンブリをさらに含む、請求項１７に記載のプレーナ光波回路。
【請求項１９】
前記第二のミラーを支持し、選択された温度範囲について、温度変化に応答して前記第二のミラーを旋回させることによって前記角度を変化させ、当該プレーナ光波回路を通る光の、有効に温度補償された伝送を提供するアクチュエータを含むミラーアセンブリをさらに含む、請求項１７または１８に記載のプレーナ光波回路。
【請求項２０】
前記第一のミラーを支持し、温度変化に応答して前記第一のミラーを旋回させるアクチュエータを含む第一のミラーアセンブリと、前記第二のミラーを支持し、温度変化に応答して前記第二のミラーを旋回させるアクチュエータを含む第二のミラーアセンブリと、をさらに含み、前記第一のミラーアセンブリと第二のミラーアセンブリが協働して、選択された温度範囲について、前記光路を補正し、当該プレーナ光波回路を通る光の、有効に温度補償された伝送を提供する、請求項１７に記載のプレーナ光波回路。
【請求項２１】
前記合成信号導波路と前記分散信号導波路が共通のエッジに接続する、請求項１７〜２０のいずれか１項に記載のプレーナ光波回路。
【請求項２２】
それぞれの前記アクセスエッジとアレイエッジが前記スラブ導波路の共通の平坦エッジの部分である、請求項１７〜２１のいずれか１項に記載のプレーナ光波回路。
【請求項２３】
請求項１７〜２２のいずれか１項に記載のプレーナ光波回路と、前記プレーナ光波回路と光学的に接続される筐体と、を含む光デバイス。
【請求項２４】
前記プレーナ光波回路と接続し、光ファイバを個々の前記合成信号導波路と前記分散信号導波路に切断可能に選択的に光学的に連結する光コネクタをさらに含む、請求項２３に記載の光デバイス。
【請求項２５】
光ファイバを前記導波路の各々と非可動的に光学的に接続する非可動的光コネクタをさらに含み、前記光ファイバが開口部から前記筐体を通過する、請求項２３に記載の光デバイス。
【請求項２６】
合成信号導波路と、
分散信号導波路の集合と、
第一のスラブ導波路と、
前記第一のスラブ導波路に光学的に接続された第一のミラーと、
前記第一のミラーを支持するミラーアセンブリと、
導波路アレイと、
第二のスラブ導波路と、
を含むプレーナ光波回路であって、
前記導波路アレイが、前記第一のスラブ導波路と前記第二のスラブ導波路を光学的に接
続して、アレイ導波路回折格子（ＡＷＧ）を提供し、前記合成信号導波路または前記分散信号導波路の集合が、アクセスエッジにおいて前記第一のスラブ導波路に光学的に接続され、前記合成信号導波路または前記分散信号導波路の集合のうちの他方が、前記第二のスラブ導波路に光学的に接続され、前記アクセスエッジから前記第一のスラブ導波路を通る光路が、前記第一のミラーから、前記導波路アレイと、前記合成信号導波路または前記分散信号導波路の集合の適当な素子を接続するアレイエッジへの光反射を提供することによって折り返され、
前記第一のミラーで反射させる設計の構成では、反射角度が約３度から約７０度であり、前記アクセスエッジから前記第一のミラーまでの光路の距離と前記導波路アレイから前記第一のミラーまでの光路の距離の比が約０．５：１〜約２：１であり、前記ミラーアセンブリが、中心波長を調整して、選択された温度で前記合成信号導波路と前記分散信号導波路の間を通過できるようにすることによって前記ＡＷＧの波長応答を設定する、手動で調整可能なアクチュエータを含むプレーナ光波回路。
【請求項２７】
前記反射角度が約５度〜約６０度の範囲内である、請求項２６に記載のプレーナ光波回路。
【請求項２８】
前記アクセスエッジから前記第一のミラーまでの光路の距離と前記導波路アレイから前記第一のミラーまでの光路の距離の比が約０．７５：１〜約１．５：１の範囲内である、請求項２６または２７に記載のプレーナ光波回路。
【請求項２９】
前記合成信号導波路が、前記アクセスエッジにおいて前記第一のスラブ導波路に光学的
に接続される、請求項２６〜２８のいずれか１項に記載のプレーナ光波回路。
【請求項３０】
前記分散信号導波路が、前記アクセスエッジにおいて前記第一のスラブ導波路に光学的
に接続される、請求項２６〜２９のいずれか１項に記載のプレーナ光波回路。
【請求項３１】
前記ＡＷＧがベースに搭載され、前記ミラーアセンブリが前記ベースに搭載され、前記アクチュエータが前記ベースに搭載される、請求項２６〜３０のいずれか１項に記載のプレーナ光波回路。